(57)【要約】【課題】互いに電源電圧の異なる複数の電源に用いる場合でも、回路損失を低減して装置の温度の上昇を抑えるとともに点灯の維持を図ることのできる点灯装置及びそれを用いた照明器具を提供する。【解決手段】第１のコンバータ部２と、第２のコンバータ部３と、第１のコンバータ部２及び第２のコンバータ部３を制御する制御部４とを備え、制御部４は、入力電源の出力電圧を検出する電源電圧検出部４５と、高圧放電灯１００に印加されるランプ電圧Ｖ２を検出するランプ電圧検出部４２とを備え、電源電圧検出部４５で検出された電源電圧に基づいて高圧放電灯１００の始動後における第１のコンバータ部２の出力電圧である入力電圧Ｖ１を設定する設定制御と、ランプ電圧検出部４２で検出されたランプ電圧Ｖ２に基づいて設定制御で設定された入力電圧Ｖ１を変化させる可変制御とを行う。【選択図】図１
2012113881.tif 000002
【特許請求の範囲】
【請求項１】
入力電源からの電圧を所定の直流電圧に変換して出力する第１のコンバータ部と、前記第１のコンバータ部の出力電圧を高圧放電灯の点灯に必要な電圧に変換して前記高圧放電灯に供給する第２のコンバータ部と、前記第１のコンバータ部及び前記第２のコンバータ部を制御する制御部とを備え、前記制御部は、前記入力電源の出力電圧を検出する電源電圧検出部と、前記高圧放電灯に印加されるランプ電圧を検出するランプ電圧検出部とを備え、前記電源電圧検出部で検出された電源電圧に基づいて前記高圧放電灯の始動後における前記第１のコンバータ部の出力電圧を設定する設定制御と、前記ランプ電圧検出部で検出されたランプ電圧に基づいて前記設定制御で設定された前記第１のコンバータ部の出力電圧を変化させる可変制御とを行うことを特徴とする点灯装置。
【請求項２】
前記制御部は、前記高圧放電灯の始動後一定時間が経過した後に前記設定制御及び前記可変制御を行うことを特徴とする請求項１記載の点灯装置。
【請求項３】
前記一定時間は、前記高圧放電灯のランプ電圧が定格ランプ電圧まで上昇するのに要する時間であることを特徴とする請求項２記載の点灯装置。
【請求項４】
前記制御部は、前記高圧放電灯のランプ電圧の略２倍となるように前記可変制御時における前記第１のコンバータ部の出力電圧を制御することを特徴とする請求項１乃至３の何れか１項に記載の点灯装置。
【請求項５】
前記制御部は、前記第１のコンバータ部の入力力率が十分に高い力率となるように前記可変制御時における前記第１のコンバータ部の出力電圧を制御することを特徴とする請求項４記載の点灯装置。
【請求項６】
請求項１乃至５の何れか１項に記載の点灯装置と、前記点灯装置及び前記光源を保持する器具本体とを備えたことを特徴とする照明器具。
【発明の詳細な説明】
【技術分野】
【０００１】
本発明は、高圧放電灯等の光源を点灯させる点灯装置及びそれを用いた照明器具に関する。
【背景技術】
【０００２】
従来から、高輝度・高出力の照明として高圧放電灯が広く使用されているが、放電灯の一種である高圧放電灯を安定して点灯させるためには、安定器（点灯装置）が必要となる。高圧放電灯用の点灯装置としては、主に鉄心に銅線が巻かれて成る銅鉄型安定器と、半導体スイッチング素子を用いた電子安定器とがある。近年では、省エネルギーの観点から電子安定器が普及しており、年々小型化及び低コスト化が図られている。そして、点灯装置の小型化に伴って、点灯装置の放熱能力が低下して点灯装置が高温化してきている。
【０００３】
ここで、点灯装置を互いに電源電圧の異なる複数の電源（例えば、１００Ｖ電源と２００Ｖ電源）に兼用させて用いる場合がある。点灯装置には、電源電圧を昇圧する昇圧コンバータ回路が内蔵されており、この昇圧コンバータ回路は、通常、電源電圧が高い方の電源に合わせて設計される。このため、点灯装置を電源電圧が低い方の電源に用いる場合、昇圧コンバータ回路の昇圧比が電源電圧が高い方の電源に用いる場合と比較して大きくなり、回路損失が大きくなって更に点灯装置が高温化してしまうという問題があった。
【０００４】
上記の問題を解決するものとして、負荷時（放電灯の点灯時）において、１００Ｖの電源電圧の入力時の昇圧コンバータ回路の昇圧電圧を２００Ｖの電源電圧の入力時の昇圧電圧より低減させるように構成した放電灯点灯装置が特許文献１に開示されている。
【先行技術文献】
【特許文献】
【０００５】
【特許文献１】特許第３８５００５２号公報
【発明の概要】
【発明が解決しようとする課題】
【０００６】
しかしながら、上記従来例のように、回路損失の低減による装置の温度上昇の抑制のみに着眼して１００Ｖの電源電圧の入力時の昇圧コンバータ回路の昇圧電圧を低減させた場合、次のような問題が生じ得る。即ち、高圧放電灯の電極の経年劣化によるランプ電圧の上昇に伴って再点弧電圧が上昇し、低減させた昇圧電圧を上回った時点で高圧放電灯が立ち消えし、点灯を維持させることができない虞がある。
【０００７】
勿論、上記の問題を解消するならば、再点弧電圧を考慮して高圧放電灯の通常点灯時における最大ランプ電圧の略２倍に昇圧コンバータ回路の昇圧電圧を設定すればよい。但し、この場合には、昇圧コンバータ回路の昇圧電圧が高電圧となるため、回路損失を低減して装置の温度の上昇を抑えるという本来の目的に対する効果が小さくなるという問題があった。また、高圧放電灯の通常点灯時における最大ランプ電圧は、高圧放電灯の種類により異なり（例えば同じ出力であっても、メーカや点灯の向き、色温度により異なる）、一概に昇圧コンバータ回路の昇圧電圧を設定するのは困難であった。
【０００８】
本発明は、上記の点に鑑みて為されたもので、互いに電源電圧の異なる複数の電源に用いる場合でも、回路損失を低減して装置の温度の上昇を抑えるとともに点灯の維持を図ることのできる点灯装置及びそれを用いた照明器具を提供することを目的とする。
【課題を解決するための手段】
【０００９】
本発明の点灯装置は、入力電源からの電圧を所定の直流電圧に変換して出力する第１のコンバータ部と、前記第１のコンバータ部の出力電圧を高圧放電灯の点灯に必要な電圧に変換して前記高圧放電灯に供給する第２のコンバータ部と、前記第１のコンバータ部及び前記第２のコンバータ部を制御する制御部とを備え、前記制御部は、前記入力電源の出力電圧を検出する電源電圧検出部と、前記高圧放電灯に印加されるランプ電圧を検出するランプ電圧検出部とを備え、前記電源電圧検出部で検出された電源電圧に基づいて前記高圧放電灯の始動後における前記第１のコンバータ部の出力電圧を設定する設定制御と、前記ランプ電圧検出部で検出されたランプ電圧に基づいて前記設定制御で設定された前記第１のコンバータ部の出力電圧を変化させる可変制御とを行うことを特徴とする。
【００１０】
この点灯装置において、前記制御部は、前記高圧放電灯の始動後一定時間が経過した後に前記設定制御及び前記可変制御を行うことが好ましい。
【００１１】
この点灯装置において、前記一定時間は、前記高圧放電灯のランプ電圧が定格ランプ電圧まで上昇するのに要する時間であることが好ましい。
【００１２】
この点灯装置において、前記制御部は、前記高圧放電灯のランプ電圧の略２倍となるように前記可変制御時における前記第１のコンバータ部の出力電圧を制御することが好ましい。
【００１３】
この点灯装置において、前記制御部は、前記第１のコンバータ部の入力力率が十分に高い力率となるように前記可変制御時における前記第１のコンバータ部の出力電圧を制御することが好ましい。
【００１４】
本発明の照明器具は、上記何れかの点灯装置と、前記点灯装置及び前記光源を保持する器具本体とを備えたことを特徴とする。
【発明の効果】
【００１５】
本発明は、互いに電源電圧の異なる複数の電源に用いる場合でも、回路損失を低減して装置の温度の上昇を抑えるとともに点灯の維持を図ることができるという効果を奏する。
【図面の簡単な説明】
【００１６】
【図１】本発明に係る点灯装置の実施形態１を示す回路図である。
【図２】同上の高圧放電灯の始動後における入力電圧とランプ電圧との相関図で、（ａ）は電源電圧が１００Ｖ及び２００Ｖの場合を示す図で、（ｂ）は電源電圧が互いに異なる４種類の場合を示す図である。
【図３】同上の電源電圧が１００Ｖの場合における動作を説明するための波形図である。
【図４】同上の電源電圧が２００Ｖの場合における動作を説明するための波形図である。
【図５】本発明に係る点灯装置の実施形態２を示す回路図である。
【図６】同上の動作を説明するための波形図である。
【図７】本発明に係る点灯装置の実施形態３を示す回路図である。
【図８】同上の動作を説明するための波形図である。
【図９】本発明に係る点灯装置の各実施形態における他の動作を説明するための入力電圧とランプ電圧との相関図である。
【図１０】（ａ）〜（ｃ）は本発明に係る照明器具の実施形態を示す概略図である。
【発明を実施するための形態】
【００１７】
（実施形態１）
以下、本発明に係る点灯装置の実施形態１について図面を用いて説明する。本実施形態は、図１に示すように、整流部１と、第１のコンバータ部２と、第２のコンバータ部３と、制御部４とを備える。整流部１は、ダイオードブリッジから構成され、交流電源ＡＣ１（入力電源）から供給される交流電圧を全波整流して後段の第１のコンバータ部２に出力する。
【００１８】
第１のコンバータ部２は、例えばＦＥＴから成るスイッチング素子Ｑ１と、チョークコイルＣＨ１と、ダイオードＤ１と、平滑コンデンサＣ１とを有する所謂昇圧チョッパ回路である。第１のコンバータ部２は、整流部１から出力される脈流電圧を所望の直流電圧に昇圧して出力することで力率を改善する。なお、昇圧チョッパ回路については従来周知であるので、ここでは詳細な説明を省略する。
【００１９】
第２のコンバータ部３は、例えばＦＥＴから成る４つのスイッチング素子Ｑ２〜Ｑ５と、チョークコイルＣＨ２と、コンデンサＣ３とを有する所謂降圧チョッパ回路である。第２のコンバータ部３では、２つのスイッチング素子Ｑ２，Ｑ３の直列回路と、残り２つのスイッチング素子Ｑ４，Ｑ５の直列回路とが第１のコンバータ部２の出力端間に互いに並列に接続されている。また、スイッチング素子Ｑ２，Ｑ３の接続点とスイッチング素子Ｑ４，Ｑ５の接続点との間に、チョークコイルＣＨ２とコンデンサＣ３との直列回路が接続されている。更に、コンデンサＣ３と並列に、共振回路３０と高圧放電灯１００（光源）との直列回路が接続されている。共振回路３０は、高圧放電灯１００に直列に接続されるパルストランスＰＴ１と、パルストランスＰＴ１のタップと第１のコンバータ部２の低電位側の出力端の間に挿入されたコンデンサＣ２とを具備している。
【００２０】
制御部４は、第１のコンバータ部２の出力電圧、即ち、第２のコンバータ部３への入力電圧（平滑コンデンサＣ１の両端電圧）Ｖ１を検出する入力電圧検出部４０を備える。また、制御部４は、検出される入力電圧Ｖ１が所望の電圧レベルとなるように第１のコンバータ部２のスイッチング素子Ｑ１をスイッチング制御する第１の駆動制御部４１を備える。
【００２１】
また、制御部４は、第２のコンバータ部３の出力電圧、即ち、高圧放電灯１００に印加されるランプ電圧Ｖ２を検出するランプ電圧検出部４２と、検出されるランプ電圧Ｖ２に基づいて高圧放電灯１００の点灯・非点灯を判別する点灯判別部４４とを備える。更に、制御部４は、検出されるランプ電圧Ｖ２が所望の電圧レベルとなるように第２のコンバータ部３の各スイッチング素子Ｑ２〜Ｑ５をスイッチング制御する第２の駆動制御部４３を備える。
【００２２】
第２の駆動制御部４３は、点灯判別部４４での判別結果を受けて第２のコンバータ部３の動作モードを切り替える切替部４３Ｂと、検出されるランプ電圧Ｖ２に応じてスイッチング素子Ｑ４，Ｑ５の駆動周波数及びオン期間を決定する演算部４３Ａとを備える。切替部４３Ｂは、第２のコンバータ部３から高圧放電灯１００を始動させるための高電圧を出力させる始動モードと、第２のコンバータ部３から高圧放電灯１００を安定して点灯させるための電圧を出力させる安定点灯モードとを切り替える。また、演算部４３Ａは、安定点灯モードの時に切替部４３Ｂを介して各スイッチング素子Ｑ４，Ｑ５を制御する。
【００２３】
例えば、安定点灯モードにおいては、図３に示すように、制御部４の第２の駆動制御部４３は、スイッチング素子Ｑ２，Ｑ５をオン／オフさせる期間と、スイッチング素子Ｑ３，Ｑ４をオン／オフさせる期間とを所定の周波数（数百Ｈｚ程度）で交番させている。ここで、前者の期間ではスイッチング素子Ｑ３，Ｑ４はオフの状態であり、後者の期間ではスイッチング素子Ｑ２，Ｑ５がオフの状態である。そして、前者の期間では、第２の駆動制御部４３はスイッチング素子Ｑ２をオンさせた状態でスイッチング素子Ｑ５を所定の周波数（数十ｋＨｚ程度）でオン／オフさせる。また、後者の期間では、第２の駆動制御部４３はスイッチング素子Ｑ３をオンさせた状態でスイッチング素子Ｑ４を所定の周波数（数十ｋＨｚ程度）でオン／オフさせる。
【００２４】
また、制御部４は、電源電圧検出部４５と、入力電圧可変部４６とを備える。電源電圧検出部４５は、例えばコンパレータやマイコンから構成され、入力電源である交流電源ＡＣ１からの出力電圧が検出閾値を上回るか否かに基づいて交流電源ＡＣ１の電源電圧を検出する。本実施形態では、１００Ｖ電源と２００Ｖ電源とを想定しているので、電源電圧検出部４５において１００Ｖから２００Ｖの間に検出閾値を設定し、当該検出閾値を上回れば２００Ｖの電源電圧であると判定してハイレベルの電圧を出力する（図３参照）。また、電源電圧検出部４５は、当該検出閾値を下回れば１００Ｖの電源電圧であると判定してローレベルの電圧を出力する（図３参照）。勿論、電源電圧検出部４５において更に細かく検出閾値を設定し、２種類よりも多くの電源電圧を検出できるように構成してもよい。
【００２５】
入力電圧可変部４６は、電源電圧検出部４５で検出された電源電圧に基づいて高圧放電灯１００の始動後における入力電圧Ｖ１を設定するように第１の駆動制御部４１に指示する。なお、入力電圧可変部４６は、点灯判別部４４での判別結果を受けて高圧放電灯１００が始動したか否かを判断する。ここで、高圧放電灯１００の始動後における入力電圧Ｖ１は、入力電流歪みを抑制できるように、電源電圧×√２×１．２Ｖ（１．２は余裕度）以上の電圧に設定する必要がある。例えば、入力電源として１００Ｖ電源を使用した場合であれば、入力電流歪みを抑制するために必要な電圧は１００×√２×１．２≒１７０Ｖ以上となる。また、入力電源として２００Ｖ電源を使用した場合であれば、入力電流歪みを抑制するために必要な電圧は２００×√２×１．２≒３４０Ｖ以上となる。
【００２６】
そこで、入力電圧可変部４６は、電源電圧検出部４５の出力電圧がローレベルの場合には、高圧放電灯１００の始動後における入力電圧Ｖ１が１７０Ｖとなるように指示する制御信号を第１の駆動制御部４１に送信する。第１の駆動制御部４１では、当該制御信号に基づいてスイッチング素子Ｑ１のオン／オフを切り替えることで、入力電圧Ｖ１が１７０Ｖとなるように制御する。また、電源電圧検出部４５の出力電圧がハイレベルの場合には、入力電圧可変部４６は、高圧放電灯１００の始動後における入力電圧Ｖ１が３４０Ｖとなるように指示する制御信号を第１の駆動制御部４１に送信する。第１の駆動制御部４１では、当該制御信号に基づいてスイッチング素子Ｑ１のオン／オフを切り替えることで、入力電圧Ｖ１が３４０Ｖとなるように制御する。即ち、第１の駆動制御部４１、電源電圧検出部４５、入力電圧可変部４６によって、高圧放電灯１００の始動後における第１のコンバータ部２の出力電圧（入力電圧Ｖ１）を設定する設定制御を行う。
【００２７】
また、入力電圧可変部４６は、ランプ電圧検出部４２で検出されたランプ電圧Ｖ２に基づいて設定制御で設定された入力電圧Ｖ１を変化させるように第１の駆動制御部４１に指示する。ここで、高圧放電灯１００の始動後における入力電圧Ｖ１は、高圧放電灯１００が立ち消えしないように、高圧放電灯１００の再点弧電圧を考慮してランプ電圧Ｖ２の略２倍程度に設定する必要がある。
【００２８】
例えば、始動後の高圧放電灯１００のランプ電圧Ｖ２が０〜１５０Ｖの間で変動すると仮定する。入力電源として１００Ｖ電源を使用した場合であれば、設定制御で設定された入力電圧Ｖ１は１７０Ｖであるため、ランプ電圧検出部４２で検出されたランプ電圧Ｖ２が１７０／２＝８５Ｖ以下であれば入力電圧Ｖ１は１７０Ｖで一定に保たれる。
【００２９】
一方、ランプ電圧検出部４２で検出されたランプ電圧Ｖ２が８５Ｖを上回ると、入力電圧可変部４６は、入力電圧Ｖ１がランプ電圧Ｖ２の略２倍となるように指示する制御信号を第１の駆動制御部４１に送信する。第１の駆動制御部４１では、当該制御信号に基づいてスイッチング素子Ｑ１のオン／オフを切り替えることで、入力電圧Ｖ１がランプ電圧Ｖ２の略２倍となるように制御する。
【００３０】
なお、入力電源として２００Ｖ電源を使用した場合であれば、設定制御で設定された入力電圧Ｖ１が３４０Ｖであるため、入力電圧Ｖ１が常にランプ電圧Ｖ２の略２倍以上の値となっている。したがって、この場合には、入力電圧Ｖ１はランプ電圧Ｖ２に依らず３４０Ｖで一定に保たれる。即ち、第１の駆動制御部４１、ランプ電圧検出部４２、入力電圧部４６によって、高圧放電灯１００の始動後における第１のコンバータ部２の出力電圧（入力電圧Ｖ１）を変化させる可変制御を行う。
【００３１】
ここで、入力電源が１００Ｖ電源又は２００Ｖ電源の場合の高圧放電灯１００の始動後における入力電圧Ｖ１とランプ電圧Ｖ２との相関図を図２（ａ）に示す。なお、本実施形態では、入力電源として１００Ｖ電源又は２００Ｖ電源を想定しているが、例えば１２０Ｖ電源や２４２Ｖ電源を入力電源とした場合でも、図２（ｂ）に示すように上記の設定制御及び可変制御を行うことが可能である。
【００３２】
以下、入力電源として１００Ｖ電源を使用した場合における本実施形態の動作について図３を用いて説明する。なお、図３は高圧放電灯１００が非点灯状態から安定した点灯状態に至るまでの各部の波形図を示している。先ず、高圧放電灯１００が非点灯状態のときに図示しない点灯スイッチが投入されて電源がオンになると、制御部４の第１の駆動制御部４１が制御動作を開始し、スイッチング素子Ｑ１を数１０ｋＨｚ程度でオン／オフさせるスイッチング制御を行う。これにより、第１のコンバータ部２からは、高圧放電灯１００の非点灯時及び点灯時の何れにおいても、電源電圧を昇圧した直流電圧（入力電圧Ｖ１）が出力される。ここで、第１のコンバータ部２は、入力力率を高めることで入力電流歪みを抑制している。また、点灯スイッチの投入時に、電源電圧検出部４５は、電源電圧が１００Ｖ又は２００Ｖの何れであるかを検出する。ここでは、入力電源を１００Ｖ電源としているので、電源電圧検出部４５の出力電圧はローレベルとなる。
【００３３】
入力電圧Ｖ１が所定の電圧値に達すると、制御部４の第２の駆動制御部４３が動作を開始する。この時点では、まだ高圧放電灯１００は点灯しておらず、その等価インピーダンスは無限大に近い高インピーダンスとなっている。また、切替部４３Ｂは始動モードとなっている。第２の駆動制御部４３は、スイッチング素子Ｑ２，Ｑ５がオンの期間と、スイッチング素子Ｑ３，Ｑ４がオンの期間とを所定の周波数ｆ０（数百ｋＨｚ程度）で交番させる。ここで、所定の周波数ｆ０は共振回路３０の共振周波数に近い周波数であり、正弦波状の高電圧がパルストランスＰＴ１の１次巻線Ｎ１に発生する。１次巻線Ｎ１で発生した正弦波状の高電圧は、１次巻線Ｎ１と２次巻線Ｎ２の巻数比によって昇圧され、昇圧された電圧がコンデンサＣ３を介して高圧放電灯１００に印加される。これにより、高圧放電灯１００が絶縁破壊されて始動する。このとき、高圧放電灯１００は短絡に近い低インピーダンスとなるため、高圧放電灯１００の両端電圧は略０Ｖまで低下する。
【００３４】
一方、点灯判別部４４では、ランプ電圧検出部４２で検出されるランプ電圧Ｖ２が所定の閾値を超えるか否かに基づいて高圧放電灯１００の点灯・非点灯を判別している。即ち、ランプ電圧Ｖ２が所定の閾値を上回っている場合には、点灯判別部４４は高圧放電灯１００が非点灯状態にあると判別し、その出力電圧はハイレベルとなる。一方、ランプ電圧が所定の閾値を下回っている場合には、点灯判別部４４は高圧放電灯１００が点灯状態にあると判別し、その出力電圧はローレベルとなる。
【００３５】
ここで、高圧放電灯１００の始動により、上記のようにランプ電圧Ｖ２が略０Ｖまで低下することで所定の閾値を下回るので、点灯判別部４４は高圧放電灯１００が点灯したと判別し、その出力電圧がローレベルとなって切替部４３Ｂに入力される。このローレベルの電圧信号を受けて、切替部４３Ｂでは動作モードを始動モードから安定点灯モードに切り替える。
【００３６】
安定点灯モードにおいては、既に上で述べたように、第２の駆動制御部４３は、スイッチング素子Ｑ２，Ｑ５をオン／オフさせる期間と、スイッチング素子Ｑ３，Ｑ４をオン／オフさせる期間とを所定の周波数ｆ１（数百Ｈｚ程度）で交番させる。したがって、高圧放電灯１００には周波数ｆ１の矩形波交流電圧が印加される。そして、高圧放電灯１００は、始動直後では両端電圧（ランプ電圧Ｖ２）が低いが、ランプ内部が高温・高圧になるにつれてランプ電圧Ｖ２が上昇して定格電圧に至り、安定した点灯状態となる。なお、演算部４３Ａでは、入力されるランプ電圧Ｖ２に基づいてスイッチング素子Ｑ４，Ｑ５の駆動周波数及びオン期間を適正に制御している。このため、高圧放電灯１００に適正な電力が供給され、安定した点灯状態が持続される。
【００３７】
ここで、点灯判別部４４の出力電圧は入力電圧可変部４６にも入力されており、入力電圧可変部４６では、点灯判別部４４の出力電圧がハイレベルからローレベルに切り替わると、上述の設定制御及び可変制御を開始する。なお、電源電圧検出部４５の出力電圧がローレベルであるため、入力電圧可変部４６は入力電源が１００Ｖの場合の設定制御及び可変制御を行う。このため、入力電圧Ｖ１は図２（ａ）に示すように、入力電源が１００Ｖの場合におけるランプ電圧Ｖ２との相関に従って変化する。
【００３８】
以下、入力電源として２００Ｖ電源を使用した場合における本実施形態の動作についても図４を用いて簡単に説明する。入力電源として１００Ｖ電源を使用した場合との違いは、２００Ｖの電源電圧を検出することで電源電圧検出部４５の出力電圧がハイレベルとなることである。このため、点灯判別部４４の出力電圧がハイレベルからローレベルに切り替わると、入力電圧可変部４６は入力電源が２００Ｖの場合の設定制御及び可変制御を行う。このため、入力電圧Ｖ１は、図２（ａ）に示すようにランプ電圧Ｖ２に依らず３４０Ｖで一定に保たれる。
【００３９】
上述のように、本実施形態では、制御部４の設定制御によって高圧放電灯１００の始動後における入力電圧Ｖ１を電源電圧に基づいて設定している。このため、互いに電源電圧の異なる複数の電源に用いる場合でも、回路損失を低減して装置の温度の上昇を抑えることができる。また、本実施形態では、制御部４の可変制御によって高圧放電灯１００の始動後における入力電圧Ｖ１をランプ電圧Ｖ２に基づいて変化させている。このため、高圧放電灯１００の電極の経年劣化によるランプ電圧Ｖ２の上昇に伴って再点弧電圧が上昇したとしても、高圧放電灯１００が立ち消えしない程度の十分な電圧を高圧放電灯１００に印加することができ、点灯を維持させることができる。
【００４０】
即ち、本実施形態では、高圧放電灯１００の立ち消えを防止して点灯の維持を図りつつ、発明が解決しようとする課題で述べた昇圧コンバータ回路の昇圧電圧を高電圧に設定する場合と比較して回路損失を低減する効果も十分に発揮することができる。
【００４１】
（実施形態２）
以下、本発明に係る点灯装置の実施形態２について図面を用いて説明する。但し、本実施形態の基本的な構成は実施形態１と共通であるので、共通する部位には同一の番号を付して説明を省略する。本実施形態は、図５に示すように、点灯判別部４４と入力電圧可変部４５との間に計時部４７を設け、入力電圧可変部４６の動作を遅らせることに特徴がある。
【００４２】
計時部４７は、例えばマイコンで構成され、点灯判別部４４の出力電圧がハイレベルからローレベルに切り替わると、切り替わった時点から一定時間Ｔ１を計時する。そして、計時部４７は、一定時間Ｔ１の計時後に入力電圧可変部４６の動作の開始を指示する制御信号を入力電圧可変部４６に出力する。つまり、本実施形態では、図６に示すように、点灯判別部４４の出力電圧がハイレベルからローレベルに切り替わる、即ち、高圧放電灯１００が始動して直ぐに入力電圧可変部４６が動作するのではなく、始動後一定時間Ｔ１が経過した後に動作を開始する。
【００４３】
上述のように、本実施形態では、高圧放電灯１００の始動後一定時間Ｔ１が経過した後に、制御部４において設定制御及び可変制御を行う。したがって、高圧放電灯１００が始動してから一定時間Ｔ１の間は、入力電圧Ｖ１が高圧放電灯１００のランプ電圧Ｖ２の略２倍以上の電圧で一定に保たれるため、高圧放電灯１００の立ち消えをより効果的に防止することができる。なお、一定時間Ｔ１は、例えば高圧放電灯１００が始動してから定格ランプ電圧に達するまでの時間（３０〜１８０秒程度）に設定するのが望ましい。このように設定すれば、高圧放電灯１００が安定した点灯状態に移行してから設定制御及び可変制御を行うことができるので、高圧放電灯１００の立ち消えをより確実に防止することができる。
【００４４】
（実施形態３）
以下、本発明に係る点灯装置の実施形態３について図面を用いて説明する。但し、本実施形態の基本的な構成は実施形態１と共通であるので、共通する部位には同一の番号を付して説明を省略する。本実施形態は、図７に示すように、点灯判別部４４と入力電圧可変部４６との間に可変判別部４８を設け、入力電圧可変部４６の動作を遅らせることに特徴がある。
【００４５】
可変判別部４８は、例えばコンパレータやマイコンで構成され、点灯判別部４４の出力電圧がハイレベルからローレベルに切り替わると、ランプ電圧検出部４２で検出されたランプ電圧Ｖ２と予め設定された判定閾値との比較を開始する。判定閾値は、例えば高圧放電灯１００の定格ランプ電圧に相当する約９０Ｖに設定される。そして、可変判別部４８は、ランプ電圧Ｖ２が判定閾値を上回ると、入力電圧可変部４６の動作の開始を指示する制御信号を入力電圧可変部４６に出力する。つまり、本実施形態では、図８に示すように、点灯判別部４４の出力電圧がハイレベルからローレベルに切り替わる、即ち、高圧放電灯１００が始動して直ぐに入力電圧可変部４６が動作するのではなく、ランプ電圧Ｖ２が判定閾値に達してから動作を開始する。
【００４６】
ここで、高圧放電灯１００が始動してから定格ランプ電圧に達するまでの時間には個体差がある。特に、この個体差が大きい場合には、実施形態２のように高圧放電灯１００の始動後一定時間Ｔ１が経過した後に制御部４において設定制御及び可変制御を行うと、高圧放電灯１００が定格ランプ電圧に達する前に制御が開始される虞がある。この場合、高圧放電灯１００が安定した点灯状態に移行していない状況で入力電圧Ｖ１が低下し、ランプ電圧Ｖ２の極性反転時における再点弧電圧の上昇によって高圧放電灯１００が立ち消えする虞がある。
【００４７】
そこで、本実施形態では、上述のようにランプ電圧Ｖ２が定格ランプ電圧程度まで上昇した後に制御部４において設定制御及び可変制御を行っている。このため、高圧放電灯１００が始動してから定格ランプ電圧に達するまでの時間の個体差に関係なく高圧放電灯１００が立ち消えするのを防止することができる。
【００４８】
ところで、上記各実施形態では、図２（ａ）に示すように、制御部４の可変制御においてランプ電圧Ｖ２に対して入力電圧Ｖ１を線形的に上昇させているが、例えば図９に示すように、ランプ電圧Ｖ２に対して入力電圧Ｖ１を段階的に上昇させてもよい。この場合でも、上記各実施形態と同様の効果を奏することができる。
【００４９】
以下、本発明に係る照明器具の実施形態について図面を用いて説明する。図１０（ａ）〜（ｃ）に示す照明器具は、何れも上記実施形態１〜３の何れかの点灯装置Ａ１と、ランプソケット（図示せず）が収納された器具本体２００と、点灯装置Ａ１とランプソケットとを接続する電源ケーブル２０１とを共通に備える。そして、ランプソケットに装着される高圧放電灯（図示せず）に点灯装置Ａ１から電源ケーブル２０１を介して点灯電力が供給される。
【００５０】
これらの照明器具は、上記実施形態１〜３の何れかの点灯装置Ａ１が用いられることにより、上記実施形態１〜３の何れかと同様の効果を奏することができる。なお、図１０（ａ）に示す照明器具はダウンライトであり、同図（ｂ），（ｃ）に示す照明器具は、配線ダクトレール２０２に移動自在に取り付けられる照明器具である。
【符号の説明】
【００５１】
２  第１のコンバータ部
３  第２のコンバータ部
４  制御部
４２  ランプ電圧検出部
４５  電源電圧検出部
１００  高圧放電灯
ＡＣ１  交流電源（入力電源）
【図１】
2012113881.tif 000003
【図２】
2012113881.tif 000004
【図３】
2012113881.tif 000005
【図４】
2012113881.tif 000006
【図５】
2012113881.tif 000007
【図６】
2012113881.tif 000008
【図７】
2012113881.tif 000009
【図８】
2012113881.tif 000010
【図９】
2012113881.tif 000011
【図１０】
2012113881.tif 000012